【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
第１デバイスと複数の第２デバイスを含む外部機器が接続可能なコネクタと、
前記コネクタに前記外部機器が接続された時、前記外部機器が含むデバイスを検出し、検出したデバイスを動作可能状態になるようにセットアップし、デバイス毎のセットアップ成否を示すデバイス情報を保存する設定手段と、
電源がオンされた時、電源状態が休止状態又はスリープ状態から通常状態に復帰した時、又は前記コネクタに前記外部機器が接続された時、前記設定手段が検出したデバイスが前記第１デバイスを含むか否かを判定する判定手段と、
前記判定手段が、前記設定手段が検出したデバイスが前記第１デバイスを含むことを判定し、前記デバイス情報が前記複数の第２デバイスの中の少なくとも１つのデバイスのセットアップが失敗したことを示す場合、前記外部機器が含むデバイスを再度検出し、検出したデバイスを再度セットアップする再設定手段と、
を具備し、
前記設定手段が、前記第１デバイスの検出に失敗する可能性は前記複数の第２デバイスの検出に失敗する可能性より小さい電子機器。
【請求項２】
前記コネクタはＵＳＢコネクタであり、前記第１デバイスは前記複数の第２デバイスが接続されるＵＳＢハブである請求項１記載の電子機器。
【請求項３】
前記複数の第２デバイスは、前記ＵＳＢコネクタに接続されるミキサと、前記ミキサの第１端子に接続されるディスプレイと、を含み、
前記ミキサの第２端子に前記ＵＳＢコネクタが接続される請求項２記載の電子機器。
【請求項４】
前記設定手段は、前記検出したデバイスに対応するドライバを起動することにより前記検出したデバイスをセットアップし、前記ドライバの起動に失敗すると、前記検出したデバイスのセットアップ失敗と判断する請求項１記載の電子機器。
【請求項５】
前記デバイス情報は、前記外部機器が含むデバイスについて、接続検知の有無、及びセットアップ成否を、デバイス毎に示すものである請求項１記載の電子機器。
【請求項６】
前記再設定手段は、前記デバイス情報が前記複数の第２デバイスの中の少なくとも１つのデバイスの接続が非検知であることを示す場合、前記外部機器が含むデバイスを再度検出し、検出したデバイスを再度セットアップする請求項５記載の電子機器。
【請求項７】
前記判定手段が、前記設定手段が検出したデバイスが前記第１デバイスを含むことを判定し、前記デバイス情報が前記複数の第２デバイスの全てのセットアップが成功したことを示す場合、
電源がオンされたか否かの判定、
電源がオンでない場合、電源状態が休止状態又はスリープ状態から通常状態に復帰したか否かの判定、
電源状態が通常状態に復帰していない場合、前記コネクタに前記外部機器が接続されたか否かの判定を行なう請求項１記載の電子機器。
【請求項８】
前記再設定手段は、前記コネクタへの電源をオフした後、前記外部機器が含むデバイスを再度検出し、検出したデバイスを再度セットアップする請求項１記載の電子機器。
【請求項９】
前記第１デバイスは、前記外部機器が含むデバイス中で、接続検出のためのプロトコルの複雑度が最も低いデバイスである請求項１記載の電子機器。
【請求項１０】
前記第１デバイスは、前記複数の第２デバイスとの接続の要となるデバイスである請求項１記載の電子機器。
【請求項１１】
第１デバイスと複数の第２デバイスを含む外部機器が接続可能なコネクタを具備し、前記第１デバイスの検出に失敗する可能性は前記複数の第２デバイスの検出に失敗する可能性より小さい電子機器の接続方法であって、
前記コネクタに前記外部機器が接続された時、前記外部機器が含むデバイスを検出し、
検出したデバイスを動作可能状態になるようにセットアップし、
デバイス毎のセットアップ成否を示すデバイス情報を保存し、
電源がオンされた時、電源状態が休止状態又はスリープ状態から通常状態に復帰した時、又は前記コネクタに前記外部機器が接続された時、前記検出したデバイスが前記第１デバイスを含むか否かを判定し、
前記検出したデバイスが前記第１デバイスを含むことを判定し、前記デバイス情報が前記複数の第２デバイスの中の少なくとも１つのデバイスのセットアップが失敗したことを示す場合、前記外部機器が含むデバイスを再度検出し、前記再度検出したデバイスを再度セットアップする接続方法。
【請求項１２】
前記コネクタはＵＳＢコネクタであり、
前記第１デバイスは前記複数の第２デバイスが接続されるＵＳＢハブである請求項１１記載の接続方法。
【請求項１３】
前記第１デバイスは、前記外部機器が含むデバイス中で、接続検出のためのプロトコルの複雑度が最も低いデバイスである請求項１１記載の接続方法。
【請求項１４】
前記第１デバイスは、前記複数の第２デバイスとの接続の要となるデバイスである請求項１１記載の接続方法。
【請求項１５】
第１デバイスと複数の第２デバイスを含む外部機器が接続可能なコネクタを具備し、前記第１デバイスの検出に失敗する可能性は前記複数の第２デバイスの検出に失敗する可能性より小さい電子機器を制御するコンピュータにより実行されるプログラムであって、前記プログラムは前記コンピュータに、
前記コネクタに前記外部機器が接続された時、前記外部機器が含むデバイスを検出することと、
検出したデバイスを動作可能状態になるようにセットアップすることと、
デバイス毎のセットアップ成否を示すデバイス情報を保存することと、
電源がオンされた時、電源状態が休止状態又はスリープ状態から通常状態に復帰した時、又は前記コネクタに前記外部機器が接続された時、前記検出したデバイスが前記第１デバイスを含むか否かを判定することと、
前記検出したデバイスが前記第１デバイスを含むことを判定し、前記デバイス情報が前記複数の第２デバイスの中の少なくとも１つのデバイスのセットアップが失敗したことを示す場合、前記外部機器が含むデバイスを再度検出し、前記再度検出したデバイスを再度セットアップすることを実行させるプログラム。
【請求項１６】
前記コネクタはＵＳＢコネクタであり、
前記第１デバイスは前記複数の第２デバイスが接続されるＵＳＢハブである請求項１５記載のプログラム。
【請求項１７】
前記第１デバイスは、前記外部機器が含むデバイス中で、接続検出のためのプロトコルの複雑度が最も低いデバイスである請求項１５記載のプログラム。
【請求項１８】
前記第１デバイスは、前記複数の第２デバイスとの接続の要となるデバイスである請求項１５記載のプログラム。
【請求項１９】
第１デバイスと第２デバイスを含む外部機器が接続可能なコネクタと、
前記コネクタに前記外部機器が接続された時、前記外部機器が含むデバイスを検出し、検出したデバイスを動作可能状態になるようにセットアップし、デバイス毎のセットアップ成否を示すデバイス情報を保存する設定手段と、
電源がオンされた時、電源状態が休止状態又はスリープ状態から通常状態に復帰した時、又は前記コネクタに前記外部機器が接続された時、前記設定手段が検出したデバイスが前記第１デバイスを含むか否かを判定する判定手段と、
前記判定手段が、前記設定手段が検出したデバイスが前記第１デバイスを含むことを判定し、前記デバイス情報が前記第２デバイスのセットアップが失敗したことを示す場合、前記外部機器が含むデバイスを再度検出し、検出したデバイスを再度セットアップする再設定手段と、
を具備する電子機器。
【請求項２０】
第１デバイスと第２デバイスを含む外部機器が接続可能なコネクタを具備した電子機器の接続方法であって、
前記コネクタに前記外部機器が接続された時、前記外部機器が含むデバイスを検出し、
検出したデバイスを動作可能状態になるようにセットアップし、
デバイス毎のセットアップ成否を示すデバイス情報を保存し、
電源がオンされた時、電源状態が休止状態又はスリープ状態から通常状態に復帰した時、又は前記コネクタに前記外部機器が接続された時、前記検出したデバイスが前記第１デバイスを含むか否かを判定し、
前記検出したデバイスが前記第１デバイスを含むことを判定し、前記デバイス情報が前記第２デバイスのセットアップが失敗したことを示す場合、前記外部機器が含むデバイスを再度検出し、前記再度検出したデバイスを再度セットアップする接続方法。
【手続補正２】
【補正対象書類名】明細書
【補正対象項目名】０００６
【補正方法】変更
【補正の内容】
【０００６】
実施形態によれば、電子機器は、第１デバイスと第２デバイスを含む外部機器が接続可能なコネクタと、前記コネクタに前記外部機器が接続された時、前記外部機器が含むデバイスを検出し、検出したデバイスを動作可能状態になるようにセットアップし、デバイス毎のセットアップ成否を示すデバイス情報を保存する設定手段と、電源がオンされた時、電源状態が休止状態又はスリープ状態から通常状態に復帰した時、又は前記コネクタに前記外部機器が接続された時、前記設定手段が検出したデバイスが前記第１デバイスを含むか否かを判定する判定手段と、前記判定手段が、前記設定手段が検出したデバイスが前記第１デバイスを含むことを判定し、前記デバイス情報が前記第２デバイスのセットアップが失敗したことを示す場合、または、前記第２デバイスが複数含まれていて、そのうちの少なくとも１つのデバイスのセットアップが失敗したことを示す場合、前記外部機器が含むデバイスを再度検出し、検出したデバイスを再度セットアップする再設定手段と、を具備する。なお、前記設定手段が、前記第１デバイスの検出に失敗する可能性は、前記第２デバイスの検出に失敗する可能性より小さいことが好ましい。また、他の実施形態によれば、前記第１デバイスは、例えば前記複数の第２デバイスが接続されているＵＳＢハブの様に、複数の第２デバイスを電子機器に接続するデバイスである。